(57)【要約】      （修正有）【課題】 ルーバーの開閉操作が簡単にでき、操作終端で過操作が加えられても、部材各部に破損が起こらない、ルーバー開閉操作装置を提供する。【解決手段】開閉操作装置１は、ケース本体２と、ケース蓋３と、ネジ棒４と、作動体５とからなる。ネジ棒４は、ケース本体２とケース蓋３とで、回動自在に挟み込まれ、指で回動操作できる。ネジ棒４のネジ部には、作動体５の端部に形成された半ネジ溝部が螺合していて、ネジ棒４が回動されると、作動体５は、ケース本体２のスリット状開口に沿って移動し、作動体５の先端で、ガラリ作動フック２１にルーバー開閉操作力を付与する。開閉作動装置１は、全体がポリアミド系合成樹脂で作られ、過操作による過負荷が作用した時には、ネジ山が一つ跳んで、過負荷を開放する。【選択図】図１
0003150506.tif 000002
【実用新案登録請求の範囲】
【請求項１】
ケース本体と、ケース蓋と、ネジ棒と、作動体とからなり、全体が合成樹脂製で、ネジ棒は、ケース本体とケース蓋との間に、回動操作自在に挟み込まれ、
ネジ棒と螺合する作動体は、ケース本体のスリット状の開口から摺動自在に突出し、ルーバーのガラリ作動フックと接触していて、ネジ棒を回動操作すると、作動体はスリット状開口を移動して、ガラリ作動フックにルーバー開閉操作力を加え、
操作終端で過操作が加えられて、過負荷が生ずると、部材が撓んで、ネジ棒と作動体との螺合箇所でネジ山が一つ跳び、過負荷を開放する、ルーバー開閉操作装置。
【請求項２】
装置全体が、ポリアミド系合成樹脂製である、請求項１記載のルーバー開閉操作装置。
【請求項３】
作動体に形成された段部が、スリット状開口の口縁と、摺動自在に当接している、請求項１又は２記載のルーバー開閉操作装置。
【請求項４】
ネジ棒に設けられたローレット円盤部が、ケース蓋の開口から露出していて、指で回動操作できる、請求項１、２又は３記載のルーバー開閉操作装置。
【請求項５】
ケース本体とケース蓋とは、ケース蓋の前面からビスで固定されている、請求項１、２，３又は４記載のルーバー開閉操作装置。
【請求項６】
ビスと螺合するナット部は、円形で、ケース本体の背面に突出状に設けられていて、ルーバー枠体に設けられたナット孔に嵌り込み、かつ、ナット部には、縦方向に複数の割れ目が設けられていて、ビスを締め込むと、ナット部は外方に広がり、カシメ作用でナット孔に圧着するようになる、請求項５記載のルーバー開閉操作装置。
【考案の詳細な説明】
【技術分野】
【０００１】
この考案は、住宅の窓や玄関などに用いられるルーバーに取付けて、ルーバーの羽根を傾動させ、その開口量を調節するための、ルーバー開閉操作装置に関する。
【背景技術】
【０００２】
従来、この種のルーバー開閉操作装置には、いろいろな形態のものが提案されている。例えば、操作機構に、ウォームと、ウォームホイールとを用いて、ハンドル操作で開閉させるようにしたもの（特許文献１参照）や、操作機構に、ラックと、セクターギヤーとを用い、レバー操作で開閉させるようにしたもの（特許文献２参照）などが、既に開発されている。
【０００３】
【特許文献１】実用新案登録第３０３１３５５号公報
【特許文献２】特許第３２９０４０９号公報
【考案の開示】
【考案が解決しようとする課題】
【０００４】
ところが、従来のものは、それぞれに欠点があって、実用上、充分でない。なぜなら、この種の装置は、ルーバーに付設されるため、機構が簡単で、小形であり、かつ、操作が容易であることが要求される。しかし、従来の装置には、これを欠くものが多い。
その上、特に重要なことは、開閉操作の終端で発生する過操作の処理である。即ち、この種の装置は、操作に不慣れな一般住居者によって操作されるため、操作終端で更なる過操作が加えられることが多く、この際、部材各部に負荷が発生して、部品が破損する事故を招き易い。
本考案は、このような欠点を解消し、ルーバーを自在かつ円滑に開閉操作でき、装置は簡単・小形・操作容易であり、操作終端での過操作には、過負荷を逃がすことによって、無理な力が各部材に作用しないようにした、ルーバー開閉操作装置を提供するにある。更に、本考案は、装置の分解・組立が容易であり、ルーバーへの組付けや取外し、故障部品の交換などが簡単にできる、ルーバー開閉操作装置を提供するにある。
【課題を解決するための手段】
【０００５】
本考案のルーバー開閉操作装置の技術的手段は、ケース本体と、ケース蓋と、ネジ棒と、作動体とからなり、全体が合成樹脂製で、ネジ棒は、ケース本体とケース蓋との間に、回動操作自在に挟み込まれ、ネジ棒と螺合する作動体は、ケース本体のスリット状の開口から摺動自在に突出し、ルーバーのガラリ作動フックと接触していて、ネジ棒を回動操作すると、作動体はスリット状開口を移動して、ガラリ作動フックにルーバー開閉操作力を加え、操作終端で過操作が加えられて、過負荷が生ずると、部材が撓んで、ネジ棒と作動体との螺合箇所でネジ山が一つ跳び、過負荷を開放することにある。
【０００６】
また、装置全体を、ポリアミド系合成樹脂製にしてもよい。更に、作動体に形成された段部を、スリット状開口の口縁に、摺動自在に当接させてもよい。また、ネジ棒に設けられたローレット円盤部を、ケース蓋の開口から露出させて、指で回動操作できるようにしてもよい。更に、ケース本体とケース蓋とを、ケース蓋の前面からビスで固定してもよい。更に又、ビスと螺合するナット部を、円形にして、ケース本体の背面に突出状に設けて、ルーバー枠体に設けられたナット孔に嵌め込み、かつ、ナット部に縦方向に複数の割れ目を設けて、ビスを締め込むと、ナット部が外方に広がり、カシメ作用でナット孔に圧着するようにしてもよい。
【考案の効果】
【０００７】
本考案のルーバー開閉操作装置は、ケース本体と、ケース蓋と、ネジ棒と、作動体とからなるので、構造が簡単であり、ルーバー枠体への取付が容易であり、故障時の着脱や部品の交換作業が簡単にできる。また、ネジ棒を指で回動させると、これと螺合する作動体が上下にスライド移行して、ルーバーのガラリ作動フックを介して、ガラリ羽根の傾斜が変わるので、ルーバーの開口量の調節を簡単に行える。更に、操作終端で過操作が加えられた際でも、負荷が高まると、装置全体が合成樹脂製であるため、装置の各部材が撓んで、ネジ棒と作動体との螺合関係が外れ、過負荷を開放し、部材の破損を防止できる。
【０００８】
請求項２のものは、装置全体がポリアミド系合成樹脂製であるから、素材として、適度な柔軟性を有し、過負荷が作用した時に、装置各部の撓みと、ネジ山の跳びとを確実に発生させ、過負荷を間違いなく開放できる。
【０００９】
請求項３のものは、作動体の段部が、ケース本体のスリット状開口の口縁に当接しているので、過負荷の力をケース本体に確実に伝え、ケース本体や各部材に、確実に撓みを発生させることができる。
【００１０】
請求項４のものは、ケース蓋の開口から露出したローレット円盤部に対して、指で簡単に回動力を加えることができるので、ルーバーの開口量の調節を極めて簡単に行える。
【００１１】
請求項５のものは、ケース本体とケース蓋とが、ビス止めであるから、ケース本体をルーバー枠体に取付けたままで、ケース蓋のみを取外して、内部の部品の交換などができ、修理時の作業性が良い。
【００１２】
請求項６のものは、ケース本体のナット部を、ルーバー枠体のナット孔に嵌め込み、ビス締込み時には、ナット部が外方に広がって、ナット孔の孔縁に圧着され、ナット孔との間でカシメ作用が働くようになる。この結果、ルーバー本体に対する開閉操作装置の着脱が簡単にでき、かつ、固定強度が高い。
【考案を実施するための最良の形態】
【００１３】
本考案のルーバー開閉操作装置を実施するための最良の形態を、図面の実施例について説明する。図１のように、開閉操作装置１は、固定のルーバー枠体２０に嵌め込むようにして、着脱自在に取付けられる。この開閉操作装置１は、図２に示されるように、ケース本体２と、ケース蓋３と、ネジ棒４と、作動体５とからなる。開閉操作装置１の素材の選択は重要で、強度、柔軟性、弾力性、強靭性、成形性、耐摩耗性などに優れた特性を有することが必要であり、合成樹脂の中から選んで使用する。実施例では、装置全体の素材に、ポリアミド系合成樹脂（商品名  ６−ナイロン）を用いている。この樹脂は、本件装置に使用して、強度や柔軟性などで、優れた特性を発揮する。
【００１４】
ネジ棒４には、棒胴の大部分にネジ部６が形成され、かつ、ネジ部に隣接させてローレット付きの円盤部７が設けられている。また、ネジ棒４の両端は、支持部８になっていて、形状は単なる円軸で、端面は半球状に成形されている。このネジ棒４は、ケース本体２とケース蓋３との間に挟み込まれて収容される。ケース本体２と、ケース蓋３との内部には、ネジ棒の支持部８の形状に対応するような支持凹部９、１０が設けられていて、収容されたネジ棒４は、この支持凹部９，１０で挟まれて、回動自在に支持される。また、ケース蓋３の表面には、開口１１が形成されていて、ここからローレット円盤部７の一部が露出し、指で回転を加えることが可能である。
【００１５】
作動体５は、ケース本体２に形成された、縦方向に細長く伸びるスリット状の開口１２に嵌っている。更に、作動体５には、段部１３が形成されていて、開口１２の口縁と接触している。従って、作動体５は、段部１３が開口縁との接触を保ったままで、開口１２に沿って上下方向に摺動移行するようになる。また、作動体５の内側の端面には、半ネジ溝１４が形成されていて、ネジ棒のネジ部６と螺合している。従って、ネジ棒４が、回動させられると、作動体５は、上下方向に移動するようになる。更に、作動体５の外側の端には、イカリ形の接触部１５が設けられていて、ガラリ作動フック２１と接触している。このガラリ作動フック２１は、ガラリ作動ロッド２２に取付けられている。また、ガラリ作動体ロッド２２は、ルーバー枠体２０の内部で上下方向に伸びていて、移動自在である。そして、ルーバーに多数平行に設けられたガラリ羽根（図示せず）は、固定のルーバー枠体２０と、ガラリ作動ロッド２２とによって、ピン支持されている。従って、ガラリ作動ロッド２２が上下に移動させられると、各ガラリ羽根は傾斜角度を変えて、約９０度の範囲で、全開から全閉まで移動することになる。この作動方式は、従来のものと同じである。以上のように、ローレット円盤部７を指で回動させると、ネジ棒４が回動して、作動体５が移動し、この動きが、ガラリ作動フック２１から、ガラリ作動ロッド２２と伝わり、ルーバーのガラリ羽根を傾斜移動させて、ルーバーの開口量を調節できるのである。
【００１６】
次に、開閉操作の終端での、逃げ作動について説明する。以上のように、ローレット円盤部７を指で回動させれば、ルーバーのガラリ羽根が傾斜移動して、全開から全閉までの開口量の調節が可能である。しかし、全開や全閉の終点に達すると、ガラリ羽根の移動はできなくなる。この際、更にローレット円盤部７に回動が加えられると、その力は部材各部に作用し、過負荷となり、その力が一定以上に達すると、部材各部に破損が発生する。例えば、ガラリ作動フック２１を止めているビスが破損するなどの事故が起こる。このような事故が起こるのは、装置メンテナンスとして問題であるから、破損は、極力防止しなければならないのであるが、操作者は一般の住居人で、操作には不慣れであって、過操作を完全に防ぐことはできない。
【００１７】
そこで、逃げ作動が必要になる。前記のように、開閉操作装置１の素材には、ポリアミド系合成樹脂が用いられている。この樹脂は適度な柔軟性と弾力性とを有している。このため、過操作が加えられ、過負荷の力が一定以上になると、装置全体、特に、ネジ棒４とケース本体２とに、弓形に曲がる撓み変形が発生して、ネジ棒のネジ部６と、作動体の半ネジ溝１４との螺合関係が外れる。即ち、ネジ山が一つ跳ぶのである。これにより、過操作による過負荷は開放され、部材各部の破損を防止できることになる。
【００１８】
更に、この開閉操作装置１は、ルーバー枠体２０に、嵌め込み方式で着脱可能に取付けられている。即ち、ケース本体２の背面には、長方形の嵌合凸部１６が形成される一方、これに対応する嵌合孔２３がルーバー枠体２０に形成されている。更に、ケース本体２の背面には、円形のナット部１７が形成される一方、これに対応するナット孔２４がルーバー枠体２０に形成されている。従って、ケース本体２の取付は、その嵌合凸部１６と、ナット部１７とを、ルーバー枠体２０の嵌合孔２３と、ナット孔２４とに嵌め込むことによって、簡単にできる。そして、このケース本体２にケース蓋３を重ね、ビス１８によって固定する。
【００１９】
更に、ビス１８による固定は、ケース本体２とケース蓋３との間だけではない。即ち、ナット部１７には、縦方向に複数の割れ目が形成されていて、ビス１６を締め込むと、ナット部１７は外に広がるようになる。そして、ナット孔２４の孔縁に圧着し、カシメ作用が働いて、ケース本体２は、ルーバー枠体２０に対して、強く固定されることになる。これにより、開閉操作装置１をルーバー枠体２０に対して、装置全体として取付けたり、取り外したりできる他、ケース蓋３のみを取外して、内部の部材の交換が可能である。
【００２０】
本考案は、前記の実施例に限定されるものではなく、実用新案登録請求の範囲の記載の範囲内で自由に変形実施可能である。特に、各部材の詳細な形状は自由であり、素材の合成樹脂の選択も自由である。
【図面の簡単な説明】
【００２１】
【図１】ルーバー開閉操作装置の実施例の断面図。
【図２】図１の装置の分解図。
【符号の説明】
【００２２】
１        ルーバー開閉操作装置
２        ケース本体
３        ケース蓋
４        ネジ棒
５        作動体
６        ネジ部
７        ローレット円盤部
８        ネジ棒の支持部
９、１０  支持凹部
１１      操作用の開口
１２      スリット状の開口
１３      段部
１４      半ネジ溝部
１５      接触部
１６      嵌合凸部
１７      ナット部
１８      ビス
２０      ルーバー枠体
２１      ガラリ作動フック
２２      ガラリ作動ロッド
２３      嵌合孔
２４      ナット孔
【図１】
0003150506.tif 000003
【図２】
0003150506.tif 000004